(57)【特許請求の範囲】
【請求項１】
防水シートで組立てる折畳み式浴槽と、これに接続する耐蝕性の湯沸し給湯器とよりなる携帯用折畳み式浴槽であって、折畳み式浴槽は折畳み自在の防水性シート材で、耐蝕性の復元性弾性芯材を浴槽の上部周縁と、上下方向一定間隔に縫着した縫着孔に挿脱可能に挿通止着して円形に組立て、かつ浴槽の上部と下部のシート側部と前記給湯器間を接続パイプで接続する接続口を対設した円形の立体浴槽に組立てる構成とし、給湯器は下部に開閉扉を設けた火熱部と、その上部に蓋を備えた給湯部とを一体に連設した耐蝕性の筒状給湯器に構成し、上部給湯部は仕切板を介して下部火熱部と連通する排煙及び火熱温度の上昇パイプを立設し、浴槽内に充当した浴槽水を浴槽と給湯器の間に設けた前記接続口に接続パイプを連結し加熱器上部で加熱し温水を浴槽との間に対流循環する構成とし、使用後は折畳んだ浴槽は給湯器の給湯部内に、加熱部の加熱筒体内に収納して携帯可能に構成してなることを特徴とする携帯用折畳み式簡易浴槽装置。
【請求項２】
請求項１記載の湯沸し給湯器はステンレス等の耐蝕性金属材で円筒状に構成し、下部火熱部と上部給湯部は上下一体に連設し、下部火熱部は開閉扉を設け底部は設置面との間に底上げした金属網に構成し、かつ火熱部と給湯部を仕切る仕切板は中央部を上部に膨出した弧状形に形成し、給湯部に被着する蓋部には上部中央に器体の内側方向に絞り加工した凹状の円形孔を穿設した蓋体に構成してなることを特徴とする携帯用折畳み式簡易浴槽装置。
【請求項３】
請求項１、請求項２に記載する給湯器の上部給湯部と浴槽下部の接続口との間に螺旋状に形成した螺状パイプを設けたことを特徴とする携帯用折畳式浴槽装置。
【発明の詳細な説明】
【０００１】
【発明の属する技術分野】
本発明は、野外及び緊急時やペット動物用に有効に使用できる組立て簡易な携帯用折畳み式浴槽装置に関する。
【０００２】
【従来の技術】
従来キャンプ地等において使用する温浴槽としては、単にドラム缶等に加熱湯を注湯したり、又は簡単な土石等で形成したかまど式のたき口の上部にドラム缶等をセットし缶体下部より山野の枯枝等を利用し湯沸ししたりする温浴手段があるが、構成性、有効性に乏しい。
また、屋内に設備した簡易浴槽を除いて携帯用の簡易な折畳み組立自在の浴槽装置は現在使用され、又浴室、又はベランダ等室内でも簡易に使用できるペット向け浴槽装置は提案されていない。
【０００３】
【本発明が解決しようとする課題】
本発明の簡易有効で携帯可能の浴槽装置を解決する課題としては、第１に山野の旅行、登山等において利用できる携帯可能の装置であり、第２に、災害時等の緊急時においても有効に持運び自由にセットし使用される折畳み組立可能の浴槽装置であること。第３に屋外屋内を問わずペット用動物向けの浴槽として使用できる構成を整えていること。組立も簡易であること。第４に短時間で入浴温度に達する強質で簡易な低コスト化に対応できる浴槽とすることを課題とするものである。
【０００４】
【課題を解決するための手段】
上記の目的を達する手段としては温浴装置として、請求項１、請求項２、請求項３に開示した第１に火熱による湯沸し給湯部を備えた浴槽が一体に組立装備される折畳み浴槽装置であること、第２に折畳組立が可能で携帯保管移動に有効であること、第３に短時間で入浴温度に達する有効な構造を備えた浴槽装置を備えていること、第４に上記装置は耐蝕、耐熱性の材質で簡易に組立可能とした軽量構成であることを要旨としたものである。
【０００５】
【本発明の実施形態】
【実施例】
以下、図面により本発明の具体的装置を詳説する。
図１は折畳まれた防水性の強質シートで折畳み組立てが容易で自由に組立てられる浴槽シートの全体斜視図、図２は折畳み浴槽シートを立体浴槽として組立てる骨材となる組立芯軸、図３は給湯器の全体斜視図。
図４は折畳みシートを組立てた円形の立体浴槽と給湯器を連結して一体とした浴槽装置の全体斜視図。
図５は組立芯軸による浴槽の組立要部図。
図１において、１０Ａは浴槽防水シート材で折畳み自在とした浴槽シートで使用後は図３の給湯器内に折畳んで収納し携帯、保管自由に構成する。図２において１１は浴槽を組立てる金属又は強化プラスチック製の耐蝕性の組立芯軸で、１２は把持部である。
組立浴槽１０は浴槽の上部周縁１４と周側１５に組立芯軸１１の挿通孔１６を縫着し、この挿通孔に組立芯軸を挿通し張力性、立体性を備えた浴槽体に組立て浴槽水を充足する。
【０００６】
組立芯軸は耐蝕性の復元性の可撓軸体で一定寸法に形成し、浴槽に設けた周縁、周側の縫着部の開口を介して周縁には連設状に周側には間隔を設けた挿通孔に挿脱自在に取付け、浴槽を組立てる骨材として円形の立体浴槽に組立成形する。なお、組立芯軸は挿通孔に挿脱自在とする為に、耐熱合成樹脂材を被覆材とした芯軸とすれば、組立時の作業性に有利である。
浴槽を構成する防水性シートは防水処理を施したビニロン、エステル、ターポリン倉庫用生地材で構成し、折畳み、組立、巻込自在のシート材とする。
２７ａ、２８ａは給湯器１７との接続パイプの接続口である。
【０００７】
図３の給湯器は上部の給湯部２０と下部の火熱部２１とよりなり、。
給湯器下部の火熱部２１は湯沸し用の開閉板２２を取付け薪、木片、木炭、ガスボンベ等の燃料で上部給湯部に充足した湯水を温熱する。
【０００８】
給湯器上部の給湯部２０は排煙用煙突を火熱部よりの高温温風の送気を兼ねた給熱パイプ２４を仕切板２３周縁に少くとも１本以上立設し、給湯部に充足した給水上面に突出するように立設する。
又、湯沸し火熱部２１と接する給湯部下部の仕切板２３は仕切板中央を膨出した弧状形に湾曲した膨出部２５を設け、後述する火熱部たき口よりの火熱温度を集中的に昂め、給湯部内の温水温度の上昇による対流性を助長する。
２６は給湯器上部に被着する蓋で、中央部に絞り加工した凹状の開口２６ａを設け、給熱パイプ２４よりの煤煙を排出し、同時に吸熱パイプより上昇排出した温熱空気が凹状開口部２６ａ周囲を還流するようにする。
２７、２８は浴槽１０に設けた接続口２７ａ、２８ａと、給湯器に設けた接続口２７ｂ、２８ｂを接続する接続パイプで、浴槽と給湯器を連結して一体の浴槽装置とする。
【０００９】
火熱部側面に設けた下部接続口２８ｂには、図８に示すように浴槽の浴槽下部より吸入した浴槽水の火熱による熱効率と熱対流効果を昂める手段として、上部接続口２７ｂとの間に上向きに螺旋状に形成した螺状パイプ３０を接続し、火熱部の高熱温度による接触面を多くして浴槽水の熱効率を昂めると共に、螺状パイプ内を加熱により高温となり流動を加速された高温水の接続口２７ｂに設けた噴出口よりの接続口２７ｂから接続口２７ａ方向への噴出により給湯器内の温水の浴槽への流入を加速し熱対流効果を昂めるように配設した第２実施例としてもよい。
【００１０】
上述の様に構成した本発明浴槽装置の作用を図７で説明すれば、浴槽１０と給湯器１７を接続パイプ２７、２８で接続しそれぞれ浴槽と給湯器に充当した浴槽水を給湯器下部の火熱部で薪、枯枝、木炭、ガスコンロ等の燃料、燃焼物により高温火熱した給湯部の温熱水を浴槽１０内に接続パイプ２７により浴槽内に給湯する。そして給湯部の浴槽水は温熱パイプにより上昇した温熱水を給湯器と浴槽１０間の上部接続パイプ２７により浴槽内に給湯する。そして給湯部の浴槽水は温熱パイプにより上昇した温熱水を給湯器１７と浴槽１０間の上部接続パイプ２７により浴槽の上部に給湯され同時に浴槽内の低温水は浴槽下部の接続パイプ２８より給湯部内に送水され浴槽内と給湯部内で温熱水が上昇する。この場合、加熱パイプは給湯部に充足した沸し湯の上部に先端を突出させ排煙を蓋の開口部より排出され、加熱パイプより排出される高温空気は凹み上に穿設した開口部と蓋の間に形成された空間部を循環し給湯部内の浴槽水の加熱作用を助長する。又、加熱パイプより排出され煤煙は給湯部の温水上面に落下浮上するので適宜蓋を上げて給湯部内の煤煙や塵芥を掬って除去する。
【００１１】
この様に、上部接続パイプと下部接続パイプにより給湯部と浴槽中に給水した浴槽水の対流循環により入浴水の温度の上昇が短時間に入浴温度の４０℃〜４２℃前後の適温となる。
又、給湯器において火熱部と給湯部の中間仕切板は中央部を弧状に湾曲した断面凸状形に構成してあるので給湯部周囲に立設した火熱パイプによる高熱温度の空気と仕切板中央の弧状凸状部に高熱空気の集中によって給湯部内の水温の上昇が昂まり、該部分の温熱水の上昇による浴槽間との対流循環作用を昂める作用に役立つ。
更に、請求項３に記述した浴槽下部の接続パイプの接続口に注湯される給湯部下部の接続パイプは螺旋状に上昇する曲管を前記浴槽下部の接続口に接続し火熱との接触面、接触時間を多くすることにより浴槽水の加温作用を昂めることとなる。
【００１２】
なお、浴槽水の温熱による熱効率を昂める補助的な手段としては、セットした浴槽の蓋上部と下部設置面に断熱素材をセットし（図示省略）、熱効率の作用を助長するようにする。
【００１３】
【発明の効果】
本発明は上述のように浴槽内の入浴温度を約３０分以内の短時間で入浴に適する４０℃〜４２℃前後に湯沸しする為の浴槽装置として有効であり、又携帯用として約６ｋｇ程度の荷重装置とした折畳移動自在、組立セット簡易な浴槽装置を提供するものである。
技術的には給湯器と浴槽間に充足した浴槽水を絶えず対流循環させ、かつ熱効率を有効に利用した浴槽装置であり、野外のキャンプ等への携行用又は緊急時の非難時の必要応急設備品として利用できる効用がある。
又、動物等のペット入浴用として容量を小さくし手軽に組立セットする家庭内のベランダ、又は浴室の必要品として備え付けることも可能であり、本発明の折畳み組立自在の浴槽装置として果たす効用は顕著である。
【図面の簡単な説明】
【図１】折りたたみ浴槽の組立前の全体斜視図
【図２】折畳み浴槽の組立芯軸
【図３】給湯器の全体斜視図
【図４】組立てた立体水槽と給湯器を接続パイプで連結した浴槽装置の全体斜視図
【図５】組立芯軸による浴槽の組立を示す要部図
【図６】給湯器の一部破断斜視図
【図７】浴槽水の対流循環作用図
【図８】給湯器内に螺旋条に形成した火熱パイプを組み込んだ第２実施例図
【符号の説明】
１０    組立浴槽
１０Ａ  浴槽の折畳みを示す斜視図
１１    組立芯軸
１２    組立芯軸把持部
１４    浴槽上部周縁
１５    浴槽側周
１６    挿通孔
１７    給湯器
１８    たき口
２０    給湯部
２１    火熱部
２３    仕切板
２４    給熱パイプ
２５    膨出部
２６    蓋
２６ａ  凹状開口
２７    上部接続パイプ
２７ａ  浴槽上部接続口
２７ｂ  給湯器上部接続口
２８    下部接続パイプ
２８ａ  浴槽下部接続口
２８ｂ  給湯器下部接続口
３０    螺状パイプ
【図１】
0003626476.tif 000002
【図２】
0003626476.tif 000003
【図３】
0003626476.tif 000004
【図４】
0003626476.tif 000005
【図５】
0003626476.tif 000006
【図６】
0003626476.tif 000007
【図７】
0003626476.tif 000008
【図８】
0003626476.tif 000009